(57)【要約】      （修正有）【課題】タッチパネル上にユーザーが操作し易い任意の位置に操作部材を配置した場合であっても、ユーザーが所望する画像表示範囲・位置で画像表示を可能とした撮像装置を提供する。【解決手段】タッチパネル上に任意の位置に着脱可能な操作部材と、操作部材が配置され、且つ、その操作部材の位置、及び、外形を検知する検知手段と、操作部材の外形と接する接円を演算可能な接円演算手段と、接円内で最大矩形範囲を演算し、画像表示範囲とする画像表示範囲設定手段を備える。タッチパネルの縦横の中心からの距離が近しい上位３つ以内の操作部材の外形に接する接円内の最大矩形範囲、もしくは、接円とタッチパネル外形に囲まれた最大の矩形領域のいずれか一方を画像表示範囲して設定し、設定された画像表示範囲は特定のタッチ操作に応じて変更可能とする。【選択図】図１（ａ）
2019057856.tif 000002
【特許請求の範囲】
【請求項１】
被写体を撮像する撮像部（１０２）と、撮像部（１０２）で撮像した画像や撮影済みの画像、撮影条件設定情報が表示可能な液晶パネル（１０９）と、液晶パネル（１０９）上に重畳配置されるタッチパネル（１０８）を有する撮像装置（１００）において、タッチパネル（１０８）上に任意の位置に着脱可能な操作部材（２００、３００）と、操作部材（２００、３００）が配置され、且つ、その操作部材（２００、３００）の位置、及び、外形を検知する検知手段（１０８、１１１）と、操作部材（２００、３００）の外形と接する接円を演算可能な接円演算手段（１１１）と、接円（５０２）内で最大矩形範囲を演算し、画像表示範囲とする画像表示範囲設定手段（１１１）を備え、タッチパネル（１０８）の縦横の中心からの距離が近しい上位３つ以内の操作部材（２００、３００）の外形に接する接円（５０２）内の最大矩形範囲、もしくは、前記接円（５０２）とタッチパネル（１０８）外形に囲まれた最大の矩形領域のいずれか一方を画像表示範囲（５０３）して設定し、設定された前記画像表示範囲（５０３）は特定のタッチ操作に応じて変更可能とすることを特徴とする撮像装置（１００）。
【請求項２】
画像表示範囲（５０３）の周辺端をタッチし、ドラックした場合は、接円（５０２）内での画像表示範囲（５０３）の拡大・縮小を行うことを特徴とする請求項１に記載の撮像装置（１００）。
【請求項３】
画像表示範囲（５０３）の中心付近をタッチし、ドラックした場合は、接円（５０２）内での画像表示範囲（５０３）の移動を行うことを特徴とする請求項１又は請求項２に記載の撮像装置（１００）。
【請求項４】
画像表示範囲（５０３）をピンチアウトした場合は、接円（５０２）範囲を越境しての画像表示範囲（５０３）の拡大を許容することを特徴とする請求項１に記載の撮像装置（１００）。
【請求項５】
接円（５０２）範囲を越境して拡大された画像表示範囲（６０２）において、接円（５０２）内に収まるサイズにピンチインにて縮小された場合は、タッチパネル（１０８）の縦横の中心からの距離が近しい上位３つ以内の操作部材（２００、３００）の外形に接する接円（５０２）内の最大矩形範囲、もしくは、前記接円（５０２）とタッチパネル（１０８）外形に囲まれた最大の矩形領域、いずれか一方で形成される画像表示範囲（５０３）に戻ることを特徴とする請求項１又は請求項４に記載の撮像装置（１００）。
【請求項６】
接円（５０２）範囲を越境して拡大された画像表示範囲（６０２）において、画像表示範囲（６０２）と干渉・重畳しているタッチパネル（１０８）上の操作部材（２００、３００）が操作されたと検知された場合は、操作された操作部材（２００、３００）と干渉・重畳しないサイズに画像表示範囲（６０２）が変更されることを特徴とする請求項１又は請求項４に記載の撮像装置（１００）。
【発明の詳細な説明】
【技術分野】
【０００１】
本発明は撮像装置に関し、特にタッチパネルを操作する操作部材の配置と、画像の表示範囲の設定に関するものである。
【背景技術】
【０００２】
通常、撮像装置には背面に表示装置が備えられており、ライブビュー撮影時にはスルー画を表示して構図を定めるのに用い、また、画像再生時には撮影した画像の表示を行う。近年、表示画像を見やすくするために、より大型の表示装置の搭載が望まれている。また、表示装置には操作性の自由度や操作性自体の向上のためにタッチパネルを採用しているものがある。
【０００３】
特許文献１では操作性を向上させるために、タッチパネルを操作可能な操作部材を有し、前記操作部材は表示装置の一部を覆うように配置される操作位置と、表示装置を覆わない退避位置とに変更可能な撮像装置が開示されている。
【０００４】
また、特許文献２では、背面に大型の表示装置を有するカメラにおいて、本体の把持性と画像の視認性を両立させるために、撮影モードの時は把持する手によって覆われる表示装置の一部を避けて画像を表示することが可能な撮像装置が開示されている。
【先行技術文献】
【特許文献】
【０００５】
【特許文献１】特開２００８−１０９４３９号公報
【特許文献２】特開２００９−５５６２２号公報
【発明の概要】
【発明が解決しようとする課題】
【０００６】
しかしながら、上述の特許文献１、及び、特許文献２に開示された従来技術では、決まった位置にしか操作部材を配置することが出来ないため、人種や性別、年齢の異なるユーザーの手の大きさの違いにより誤操作や操作性の低下が懸念される。
【０００７】
また、操作部材が表示装置の一部を覆うように配置された場合や、撮像装置を把持する際にユーザーの手が表示装置の一部を覆った場合は、表示装置に表示される画像が操作部材や把持しているユーザーの手に隠れないよう縮小されてしまうため、大型の表示装置を搭載したとしても再生画像などの視認性が低下してしまう問題がある。
【０００８】
そこで、本発明の目的は、タッチパネル上にユーザーが操作し易い任意の位置に操作部材を配置した場合であっても、ユーザーが所望する画像表示範囲・位置で画像表示を可能とした撮像装置を提供することである。
【課題を解決するための手段】
【０００９】
上記目的を達成するために、本発明は、被写体を撮像する撮像部と、撮像部で撮像した画像や撮影済みの画像、撮影条件設定情報が表示可能な液晶パネルと、液晶パネル上に重畳配置されるタッチパネルを有する撮像装置において、タッチパネル上に任意の位置に着脱可能な操作部材と、操作部材が配置され、且つ、その操作部材の位置、及び、外形を検知する検知手段と、操作部材の外形と接する接円を演算可能な接円演算手段と、接円内で最大矩形範囲を演算し、画像表示範囲とする画像表示範囲設定手段を備え、タッチパネルの縦横の中心からの距離が近しい上位３つ以内の操作部材の外形に接する接円内の最大矩形範囲、もしくは、前記接円とタッチパネル外形に囲まれた最大の矩形領域のいずれか一方を画像表示範囲して設定し、設定された前記画像表示範囲は特定のタッチ操作に応じて変更可能とすることを特徴とする。
【発明の効果】
【００１０】
本発明によれば、タッチパネル上にユーザーが操作し易い任意の位置に操作部材を配置した場合であっても、ユーザーが所望する画像表示範囲・位置で画像表示を可能とした撮像装置を提供することが出来る。
【図面の簡単な説明】
【００１１】
【図１（ａ）】本発明の実施形態に係る撮像装置の構成を示すブロック図
【図１（ｂ）】本発明の実施形態に係る撮像装置の背面図
【図２（ａ）】同実施形態に係る第一の操作部材の分解斜視図
【図２（ｂ）】同実施形態に係る第一の操作部材の断面図
【図３（ａ）】同実施形態に係る第二の操作部材の分解斜視図
【図３（ｂ）】同実施形態に係る第二の操作部材の断面図
【図４】同実施形態に係る第一の操作部材、及び、第二の操作部材をタッチパネル上に配置する際の検知、及び、制御に関するフローチャート
【図５（ａ）】同実施形態に係る第一の操作部材、及び、第二の操作部材の配置位置によって算出される画像表示範囲を示す図
【図５（ｂ）】同実施形態に係る第一の操作部材、及び、第二の操作部材の配置位置、タッチパネル範囲によって算出される画像表示範囲を示す図
【図５（ｃ）】同実施形態に係るタッチパネル範囲の縦の中心線を挟んで左右いずれか一方の範囲にしか操作部材が配置されない場合に算出される画像表示範囲を示す図
【図５（ｄ）】同上図
【図５（ｅ）】同実施形態に係る操作部材の追加よって画像表示範囲が縮小してしまう例を示す図
【図６（ａ）】同実施形態に係るタッチ操作による画像表示範囲の拡大・縮小を示す図
【図６（ｂ）】同実施形態に係るタッチ操作による画像表示範囲の拡大・縮小、及び、移動を示す図
【図６（ｃ）】同実施形態に係るタッチ操作による接円を越境しての画像表示範囲の拡大を示す図
【図６（ｄ）】同実施形態に係るタッチ操作により接円を越境して拡大された画像表示範囲を、第一の操作部材、及び、第二の操作部材の配置位置によって算出された画像表示範囲に戻した状態を示す図
【図６（ｅ）】同実施形態に係るタッチ操作により接円を越境して拡大された画像表示範囲を、第一の操作部材、及び、第二の操作部材の操作を検知して変更されることを示す図
【発明を実施するための形態】
【００１２】
以下に、本発明の好ましい実施の形態を、添付の図面に基づいて詳細に説明する。図１（ａ）、（ｂ）は本発明の実施形態に関わる撮像装置の構成を示すブロック図、及び、撮像装置の背面図である。
【００１３】
同図において、１００は撮像装置である。１０１は被写体に対しての合焦位置関係を持つズームレンズ及びフォーカスレンズからなる撮影レンズ、１０２は光電変換を行うＣＣＤやＣＭＯＳなどの撮像素子（請求項に記載の撮像部１０２に相当）である。１０３は撮像素子１０２のアナログ信号出力をデジタル信号に変換するＡ／Ｄ変換回路であり、１０４は撮像素子１０２を駆動させる撮像駆動回路である。１０５は画像信号処理回路であり、Ａ／Ｄ変換回路１０３や中央演算処理装置１１１からの制御信号・映像信号を受け、表示装置制御回路１０６に映像信号を出力する。
【００１４】
１１２は撮像装置１００の姿勢を検知する姿勢検知センサであり、ピエゾ抵抗方式や静電容量方式などの角速度センサが用いられる。１０７は表示装置であり、ＬＣＤ（Liquid Crystal Display）などの液晶パネル１０９、ならびに液晶パネルの背面より光を照射するバックライト１１０、更にタッチパネル１０８で構成される。タッチパネル１０８は、指先と導電膜との間の静電容量の変化を捉えて検知する静電容量方式や、透明電極が配置され、手指などで押し下げた力点の位置座標を電圧値で検出する感圧方式（抵抗膜圧方式）などで構成される入力装置である。
【００１５】
また、タッチパネル１０８は、液晶パネル１０９の表示画面上に重畳されて配設され、液晶パネル１０９と一体化している。液晶パネル１０９に表示される画像や、タッチ操作用のボタンは、タッチパネル１０８を介して視認可能である。
【００１６】
本実施例では液晶パネル１０９のサイズと、タッチパネル１０８のサイズは同一として説明を行うが、タッチの有効範囲を大きくするべく、液晶パネル１０９よりタッチパネル１０８の方を大型化させてもよく、逆にタッチ範囲を規制するべく、液晶パネル１０９よりタッチパネル１０８の方を小型化させるようにしてもよい。また、タッチパネル１０８の方式については携帯型の機器に対して操作性が優位な静電容量方式を用いた場合を前提として説明する。
【００１７】
１１１は中央演算処理装置であり、撮像駆動回路１０４、画像信号処理回路１０５、表示装置制御回路１０６などの制御、姿勢検知センサ１１２などの駆動・制御を行う装置である。また、ユーザーが所定の操作を行うことで中央演算処理装置１１１は撮像素子１０２からの信号をＡ／Ｄ変換回路１０３、画像信号処理回路１０５を介して直接表示装置制御回路１０６、及び、表示装置１０７に出力する処理を行う。上記処理を行うことで撮像素子１０２からの映像信号をリアルタイムで表示装置に表示するライブビュー表示を行うことが可能となる。
【００１８】
１１３は光学ファインダであり、表示装置１０７によるライブビュー機能を使用すること無しに、光学ファインダのみを用いて撮影を行うことが可能である。１１４はメモリであり、中央演算処理装置１１１により、撮影された画像データの書き込み、読み出しが行われる。メモリ１１４は、メモリＩＣや不図示のケーブルコネクタを介して中央演算処理装置１１１と通信するハードディスクドライブ、または不図示のスロットコネクタなどを介して通信を行うメモリーカードなどで構成される。
【００１９】
２００（ａ）、２００（ｂ）、２００（ｃ）は第一の操作部材、３００は第二の操作部材である。前記操作部材をタッチパネル１０８上の任意の位置に配置することでユーザーは第一の操作部材２００（ａ）、２００（ｂ）、２００（ｃ）、第二の操作部材３００を介してタッチパネルを操作することが可能である。
【００２０】
次に、第一の操作部材２００（ａ）、２００（ｂ）、２００（ｃ）、及び、第二の操作部材３００について図２、図３を参照して説明する。図２（ａ）は第一の操作部材２００の分解斜視図、（ｂ）は断面図であり、第一の操作部材２００は押し込み型のボタン構造となっている。  ２０１はキートップであり、導電性の樹脂などで構成され、ユーザーが直接指で押し込む操作部である。また、キートップ２０１は凸状部２０１ａを有している。
【００２１】
２０２は弾性部材であり、ゴムなどの弾性材料で構成され、変形可能な変形部２０２ａ、及び、中心部に第一の開口２０２ｂ及び第二の開口２０２ｃの貫通穴を有している。キートップ２０１の凸状部２０１ａが弾性部材２０２の第一の開口２０２ｂに圧入されることでキートップ２０１は弾性部材２０２に係合される。２０４はフィルム部材であり、表示装置１０７に配置されたタッチパネル１０８の表面に分子間力などで貼り付け可能な構成となっている。弾性部材２０２の裏面に配置された両面テープ２０３などで弾性部材２０２とフィルム部材２０４は固着される。
【００２２】
つまり、タッチパネル１０８上に配置された第一の操作部材２００は、キートップ２０１を押し込むことで弾性部材２０２の変形部２０２ａが変形し、第二の開口２０２ｃから凸状部２０１ａが突出することでタッチパネル１０８と接触する構造となっている。
【００２３】
キートップ２０１は導電性の樹脂で構成されているため、凸状部２０１ａがタッチパネル１０８に接触した箇所はユーザーが指でタッチした場合と同様の操作が可能となる。
【００２４】
また、第一の操作部材２００はフィルム部材２０４の分子間力によってタッチパネル１０８上に配置されているので容易に取り外し可能であり、ユーザーがタッチパネル１０８上の任意の位置に配置可能な構成となっている。
【００２５】
図３（ａ）は第二の操作部材３００の分解斜視図、（ｂ）は断面図であり、第二の操作部材３００は円周方向に回転可能なダイヤル構造となっている。３０１はキャップであり、樹脂などで構成され、ダイヤルを回転させた際にクリック感を生じさせるためのクリックボール３０６やクリックボールを付勢する不図示のコイルスプリングなどを封止する蓋である。３０２はダイヤルベースであり、導電性の樹脂で構成され、内側にダイヤルを回転させた際にクリックボール３０６によってクリック感を生じさせるための同心円状に配置された不図示の波型形状を有し、更に裏面には位相凸形状３０２ａを有している。
【００２６】
３０３は位相板であり、非導電性の樹脂で構成され、内部に導電性を有する位相部３０３ａが形成されている。位相部３０３ａは表裏の同位置に導電・非導電部が交互に配置されたゼブラパターンのエラストマーや、樹脂メッキなどで導電・非導電を形成するようにパターニングされた部材を位相板３０３にインサート成形するなどで構成される。３０４はフィルム部材であり、表示装置１０７に配置されたタッチパネル１０８の表面に分子間力などで貼り付け可能な構成となっている。
【００２７】
フィルム部材３０４の裏面に配置された不図示の両面テープなどで位相板３０３とフィルム部材３０４は固着される。位相板３０３とフィルム部材３０４が固着された際、位相部３０３ａの表面はフィルム部材３０４と略同一面に位置する構成となっている。また、タッチパネル１０８の感度によっては位相部３０３ａはタッチパネル１０８に接していなくてもよく、所定の静電容量の変化が検知できる距離まで浮かせた構成にしてもよい。
【００２８】
３０５は締結部材であり、ダイヤルベース３０２を回転可能、且つ、位相凸形状３０２ａと位相板３０３の位相部３０３ａが所定距離まで近接するようにダイヤルベース３０２をキャップ３０１と位相板３０３とで挟み込み、共締めしている。ダイヤルベース３０２を回転させることで位相凸形状３０２ａが位相板３０３の位相部３０３ａ上を連続的に移動する構造となっている。つまり、タッチパネル１０８上に配置された第二の操作部材３００は、ダイヤルベース３０２をユーザーが円周方向に回転操作すると静電容量が変化する位置が連続的に移動し、ユーザーがタッチパネル上を指で円状に移動させた場合と同様の操作が可能となる。
【００２９】
また、第二の操作部材３００も第一の操作部材２００と同様にフィルム部材３０５の分子間力によってタッチパネル１０８上に配置されているので容易に取り外し可能であり、ユーザーがタッチパネル１０８上の任意の位置に配置可能な構成となっている。
【００３０】
図４は第一の操作部材２００、及び、第二の操作部材３００などをタッチパネル１０８上に配置する際の検知、及び、制御に関するフローチャートである。先ず、ユーザー操作によって撮像装置の所定のメニューコマンドより第一の操作部材２００、及び、第二の操作部材３００のレイアウトモードへ移行操作が行われる（ステップＳ４０１）。
【００３１】
レイアウトモード移行後、表示装置１０７に第一の操作部材２００、及び、第二の操作部材３００をタッチパネル１０８上の任意の位置に配置するようユーザーに促すメッセージを表示する（ステップＳ４０２）。
【００３２】
このとき、第一の操作部材２００、及び、第二の操作部材３００を配置後、第一の操作部材２００であれば一度押し込み、第二の操作部材３００であれば少なくとも２クリック回転をユーザーが行うことでタッチパネル１０８が静電容量の変化を検知し、どの操作部材がどの位置に配置されたのか検知・識別を行う。
【００３３】
ユーザーによって第一の操作部材２００、及び、第二の操作部材３００の配置が完了したと判断された場合、例えば、タッチパネル１０８上に表示された所定のコマンドをユーザーが操作することで操作部材の配置位置が決定される（ステップＳ４０３）。
【００３４】
次に、撮像装置１００内にあらかじめ記録されている操作部材情報から、検知した操作部材の最大外形を中央演算処理装置１１１によって識別、及び、読み出し処理を行う（ステップＳ４０４）。
【００３５】
例えば、各操作部材のフィルム部材２０４、３０５に検知用の個別パターニングを施し、キートップ２０１やダイヤルベース３０２と導通させる構成とすることで、ユーザーが配置した際、個別のパターニングによってどの操作部材がどの位置に配置されたのか自動で検知できるような構成としても良い。
【００３６】
次に、タッチパネル１０８上に第一の操作部材２００、及び、第二の操作部材３００が配置された位置・数量に応じて画像表示範囲５０３が中央演算処理装置１１１、表示装置制御回路１０６によって算出される（ステップＳ４０５）。
【００３７】
画像表示範囲５０３の算出方法については図５を用いて説明する。図５（ａ）に示す５００（ａ）はタッチパネル１０８範囲の縦中心を示す中心線、５００（ｂ）はタッチパネル１０８範囲の横中心を示す中心線である。先ず、中央演算処理装置１１１によって縦中心線５００（ａ）、横中心線５００（ｂ）の交点からタッチパネル１０８上に配置された各第一の操作部材２００（ａ）、２００（ｂ）、２００（ｃ）、及び、第二の操作部材３００の外形までの最短距離５０１（ａ）、５０１（ｂ）、５０１（ｃ）、５０１（ｄ）が算出される。
【００３８】
次に、縦中心線５００（ａ）、横中心線５００（ｂ）の交点からの距離が近しい操作部材の上位３つ以内の操作部材外形が中央演算処理装置１１１によって算出され、その操作部材外形に接する接円５０２が算出される。
【００３９】
図５（ａ）においては、縦中心線５００（ａ）、横中心線５００（ｂ）の交点から各操作部材までの距離は５０１（ｃ）＜５０１（ｂ）＜５０１（ａ）＜５０１（ｄ）の順で遠くなっているため、前記接円５０２は５０１（ａ）、５０１（ｂ）、５０１（ｃ）の値を用いて算出される。
【００４０】
更に中央演算処理装置１１１によって算出された接円５０２内で、且つ、最大範囲の矩形領域を画像表示範囲５０３として算出し、画像を表示する範囲の候補として表示装置１０７上でユーザーに明示する。
【００４１】
この時、図５（ｂ）に示すように第一の操作部材２００（ａ）、２００（ｃ）、及び、第二の操作部材３００の配置位置によって画像表示範囲５０３がタッチパネル１０８の範囲より大きくなってしまう場合は、接円５０２とタッチパネル１０８範囲によって形成される領域内で最大の矩形領域を画像表示範囲５０３とする。
【００４２】
また、撮影画像によっては縦位置で撮影した画像や、所定のアスペクト比で撮影された画像が表示される場合もある。
【００４３】
前述のような画像を表示する際においても、算出された接円５０２内で、且つ、最大範囲の矩形領域、もしくは、接円５０２とタッチパネル１０８範囲によって形成される領域内で最大の矩形領域を画像表示範囲５０３とする。
【００４４】
図５（ｃ）、（ｄ）に示すように、例えばユーザーの操作性の嗜好によって表示装置１０７の縦の中心線５００を挟んで左右いずれか一方の範囲にしか操作部材が配置されない場合もある。
【００４５】
前述のように縦の中心線５００を挟んで左右いずれか一方にしか操作部材が配置されていないと検知した場合は、表示装置１０７の縦の中心線５００からの距離が近しい操作部材の上位２つ以内の操作部材外形と、タッチパネル１０８範囲に囲まれた領域において、最大となる矩形領域を画像表示範囲５０３とする。
【００４６】
図５（ｅ）は図５（ｃ）に対し、ユーザーがタッチパネル１０８の中心付近に更に第一の操作部材２００を１個追加して配置した図である。図５（ｅ）に示す通り、操作部材の追加する位置によっては接円５０２が極端に小さくなってしまい、接円５０２内に形成される画像表示範囲５０３についても連動して小さくなり、視認性が落ちてしまう。
【００４７】
第一の操作部材２００、及び、第二の操作部材３００の配置位置によって画像表示範囲５０３が所定より小さくなってしまう場合は、ユーザーに操作部材の配置位置や数を見直すよう、表示装置１０７上に警告を出し、操作部材の複数置きすぎや配置位置の非適性を知らしめることができるようにすることが好ましい。
【００４８】
また、タッチパネル１０８上の第一の操作部材２００、及び、第二の操作部材３００、画像表示範囲５０３と被らない位置に撮影条件や画像情報を表示するようにすることで未使用スペースの有効活用、ユーザビリティの向上という観点からも好ましい。
【００４９】
加えて、画像表示範囲５０３をもっと大きくしたいなどの意向がある場合は、タッチパネル１０８上に配置された第一の操作部材２００、及び、第二の操作部材３００の位置を任意に移動させ、画像表示範囲５０３を自由に変更することが可能である。
【００５０】
次に、画像を表示する範囲の候補として画像表示範囲５０３が算出された後、ユーザーによってタッチパネル１０８が操作されたと検知された場合は、サブルーチンである画像表示範囲５０３編集モードに移行する（ステップＳ４０６、サブルーチンＳ４０８）。算出された画像表示範囲５０３の候補が問題無いとユーザーによって判断された場合は、ユーザー操作によって撮像装置の所定のメニューコマンドよりレイアウトモード終了操作が行われる（ステップＳ４０７）。
【００５１】
サブルーチンである画像表示範囲５０３編集モードにおいて、タッチパネル１０８を使用しての画像表示範囲５０３の編集操作については、図６を用いて説明する。図６（ａ）はタッチ操作によって画像表示範囲５０３のサイズを接円５０２内で変更している状態を明示した図である。ユーザーが画像表示範囲５０３の端をタッチした後、ドラッグすることで中央演算処理装置１１１により接円５０２に内接している点を固定点として、接円５０２内のみで画像表示範囲５０３が画像表示範囲６０１として縮小、又は拡大処理が行われる（ステップＳ４０９）。
【００５２】
また、図６（ｂ）に示す通り、縮小処理された画像表示範囲６０１はドラッグにより接円５０２内のみで任意の位置に移動が可能となる（ステップＳ４０９）。
【００５３】
上記処理とすることで、ユーザー所望の画像表示範囲５０３サイズで、且つ、第一の操作部材２００、及び、第二の操作部材３００と干渉すること無く、任意の位置に画像表示範囲５０３を配置することが可能となり、ユーザーの操作性と視認性を両立させることが出来る。
【００５４】
ユーザーによっては画像表示範囲５０３が第一の操作部材２００、及び、第二の操作部材３００との干渉や重複を許容しても大画面で画像を確認したいという場合もある。図６（ｃ）に示す通り、画像表示範囲５０３をピンチアウトで拡大操作することで、接円５０２の範囲を越境し、画像表示範囲６０２としてタッチパネル１０８範囲最大まで拡大可能とするようにしてもよい（ステップＳ４０９）。
【００５５】
画像表示範囲６０２をステップＳ４０５で算出された画像表示範囲５０３のサイズに戻したい場合は、図６（ｄ）に示す通り、ピンチインにて画像表示範囲６０２を接円５０２内に収まるまで縮小することで、中央演算処理装置１１１の処理によりステップＳ４０６で算出された画像表示範囲５０３のサイズに戻るようにするようにしてもよい（ステップＳ４０９）。
【００５６】
画像表示範囲５０３をピンチアウトで拡大処理し、画像表示範囲６０２とした後、タッチパネル１０８上に配置された第一の操作部材２００、及び、第二の操作部材３００の中で特定の操作部材との干渉・重複を禁止したい場合も考えられる。
【００５７】
図６（ｅ）に示す通り、その場合は第一の操作部材２００であれば一度押し込み、第二の操作部材３００であれば少なくとも２クリック回転をユーザーが行うことでタッチパネル１０８が静電容量の変化を検知し、操作された操作部材と干渉・重複しないようなサイズとした画像表示範囲６０３に変更するようにしてもよい（ステップＳ４１０、Ｓ４１１）。
【００５８】
画像表示範囲５０３のサイズ、位置が問題無いとユーザーによって判断された場合は、ユーザー操作によって撮像装置の所定のメニューコマンドより画像表示範囲５０３編集モード終了操作が行われる（ステップＳ４１２）。
【００５９】
上記実施例の撮像装置１００の構成をまとめると次のとおりである。被写体を撮像する撮像部１０２と、撮像部０２で撮像した画像や撮影済みの画像、撮影条件設定情報などが表示可能な液晶パネル１０９と、液晶パネル１０９上に重畳配置されるタッチパネル１０８を有する。
【００６０】
タッチパネル１０８上に任意の位置に着脱可能な操作部材２００、３００と、操作部材２００、３００が配置され、且つ、その操作部材２００、３００の位置、及び、外形を検知する検知手段１０８、１１１を備える。また、操作部材２００、３００の外形と接する接円を演算可能な接円演算手段１１１と、接円５０２内で最大矩形範囲を演算し、画像表示範囲とする画像表示範囲設定手段１１１を備える。
【００６１】
そして、タッチパネル１０８の縦横の中心からの距離が近しい上位３つ以内の操作部材２００、３００の外形に接する接円５０２内の最大矩形範囲、もしくは、前記接円５０２とタッチパネル１０８外形に囲まれた最大の矩形領域のいずれか一方を画像表示範囲５０３して設定し、設定された前記画像表示範囲５０３は特定のタッチ操作に応じて変更可能とすることを特徴とする。
【００６２】
上記構成とすることで、タッチパネル１０８上にユーザーがブラインド操作し易い任意の位置に操作部材を配置可能であり、且つ、ユーザーが所望するサイズ、位置での画像表示が可能となる。
【００６３】
以上、撮像装置を用いて本発明の好ましい実施形態について説明したが、本発明はこれらの実施形態に限定されず、表示装置１０７を有する他の電子機器においても、その要旨の範囲内で種々の変形及び変更が可能である。
【００６４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６５】
１００・・・撮像装置
１０２・・・撮像部
１０８・・・タッチパネル
１０９・・・液晶パネル
１１１・・・中央演算処理装置
２００・・・第一の操作部材
３００・・・第二の操作部材
５０３・・・画像表示範囲
【図１（ａ）】
2019057856.tif 000003
【図１（ｂ）】
2019057856.tif 000004
【図２（ａ）】
2019057856.tif 000005
【図２（ｂ）】
2019057856.tif 000006
【図３（ａ）】
2019057856.tif 000007
【図３（ｂ）】
2019057856.tif 000008
【図４】
2019057856.tif 000009
【図５（ａ）】
2019057856.tif 000010
【図５（ｂ）】
2019057856.tif 000011
【図５（ｃ）】
2019057856.tif 000012
【図５（ｄ）】
2019057856.tif 000013
【図５（ｅ）】
2019057856.tif 000014
【図６（ａ）】
2019057856.tif 000015
【図６（ｂ）】
2019057856.tif 000016
【図６（ｃ）】
2019057856.tif 000017
【図６（ｄ）】
2019057856.tif 000018
【図６（ｅ）】
2019057856.tif 000019